Podtech/llm-jp-corpus-v4-ja_patent huggingface dataset:
(57)【要約】【課題】着用時動いても尿取りパットがズレないパンツを構成する。【解決手段】股間に局所を覆うように尿取りパットを沿い当て、その上に着用するパンツであって、前記パンツの股部に、パンツ着用時のパンツ股部の股間への圧迫によって局所をパットを介して突出させる窓と、窓からの局所の突出によって窓外に局所を覆った状態で露出したパットの、局所の根元周りに位置するパット部分を押さえつける前記窓の周縁に設けた押さえ縁とでなる、パットのズレ防止部を設けたことを特徴とする。【選択図】図１
2007077531.tif 000002
【特許請求の範囲】
【請求項１】
股間に局所を覆うように尿取りパットを沿い当て、その上に着用するパンツであって、前記パンツの股部に、パンツ着用時のパンツ股部の股間への圧迫によって局所をパットを介して突出させる窓と、窓からの局所の突出によって窓外に局所を覆った状態で露出したパットの、局所の根元周りに位置するパット部分を押さえつける前記窓の周縁に設けた押さえ縁とでなる、パットのズレ防止部を設けたことを特徴とする尿取りパット用パンツ。
【請求項２】
窓の周縁に、窓を縮径方向に作用させる弾性手段を設けたことを特徴とする、請求項１記載の尿取りパット用パンツ。
【発明の詳細な説明】
【技術分野】
【０００１】
本発明は、失禁時の漏尿を吸収させる尿取りパットの上に着用使用するパットのズレ防止用パンツの技術分野に属する。
【背景技術】
【０００２】
尿取りパットは、股間に局所を覆うように沿い当て、その上にパンツを着用してパンツによる押さえ作用でパットのズレを防止することが一般的に知られている。
【発明の開示】
【発明が解決しようとする課題】
【０００３】
解決しようとする問題点を、図５〜７を挙げて述べる。図５に示す従来の尿取り用のパットＰを図６のように股間に局所Ａを覆うように沿い当て、その上にパンツ１を着用し、パンツ１の着用圧力によってパットＰを押さえつける圧力が得られる。
【０００４】
上記図６のパット沿い当て状態が得られれば良い訳だが、問題は上記着用状態での歩行時などの動きによってパットＰがズレてパットＰの局所Ａを覆うパット部分が局所Ａの両側に臨んでいるくぼみ状の根元Ｂの一方側に細幅絞り状に片寄り的に落ち込み、この片寄りにより局所Ａが露出してしまい、漏尿を吸収することができないと言う課題がある。
【課題を解決するための手段】
【０００５】
本発明は、股間に局所を覆うように尿取りパットを沿い当て、その上に着用するパンツであって、前記パンツの股部に、パンツ着用時のパンツ股部の股間への圧迫によって局所をパットを介して突出させる窓と、窓からの局所の突出によって窓外に局所を覆った状態で露出したパットの、局所の根本周りに位置するパット部分を押さえつける前記窓の周縁に設けた押さえ縁とでなる、パットのズレ防止部を設けたことを特徴とする。
【発明の効果】
【０００６】
本発明の請求項１によれば、パンツ着用時のパンツ股部の圧迫力によって局所をパットを介して窓から突出させて、局所をパットで覆わせ、それによって局所の根元周りに位置するパット部分を窓の周縁の押さえ縁で押さえつける、つまり突出した局所を芯として局所の根元周りが押さえつけられるのでパットの動きは局所によって確実に拘束され、もって股部に沿接状態のパットのズレを防ぐことができる。
【０００７】
また請求項２によれば、窓の周縁に設けた弾性手段によって局所の根元周りのパット部分を弾性的に押さえつけ、パットのズレをより確実に阻止することができる。
【発明を実施するための最良の形態】
【０００８】
股間部に通常パンツにあり得ない、局部を常時露出する窓部を設けることにより、ノーマルのパンツがもつ低価格性と脱ぎ着のし易さを殆ど損なうことなく、着用者の動きによるパットのズレを防止すると言う目的を実現することができた。
【実施例】
【０００９】
図１はパンツ１の正面図を示し、このパンツ１の股部２に局所Ａを突出させる常に開口する窓３と、窓の周縁からなるパットの押さえ縁４とでズレ防止部が設けられる。
【００１０】
また、窓３の形状は図４のように正面スリット状にするなど、形状は限定されるものではないが、その長さＬは局所の上端部から下端股下部にかけて延びる長さに形成される。
【００１１】
また窓３は、押さえ縁４が同一平面上に一致する開口にて形成される。
【００１２】
なお、パンツ１は通称ブリーフと呼ばれる全体が身体にフィットする伸縮弾性を有するパンツを使用する他、伸縮弾性を有しないパンツでも良く、この場合少なくとも股部２は伸縮性を有する部分で形成することが望ましい。
【００１３】
また、股押さえ縁４はパットを押しつけたとき、撓まない固さを有していることが望ましい。
【００１４】
また、パンツ１の形状も図例の短小パンツに限定されるものではなく、長パンツでも良い。
【００１５】
また、パットＰは表被が防水地にて、裏被は吸水地にて形成され、表裏被簡にゼリーなどの柔軟吸水材が入ったものにて形成されている。
【００１６】
上記のように構成されたパンツの使用法としては、身体の股間に局所Ａを覆うようにパットＰを沿い当て、この上にパンツ１を着用すると、股部２が股間部を圧迫して窓３を押し開き、窓３から局所ＡがパットＰを介して図３のように膨出状に突出され、かつこの突出した局所周りがパットＰで覆われているのでその根元パット部分が押さえ縁４に局所の根元にあるくぼみＢに落ち込み状に押さえ込まれ、パットは局所Ａを芯として不動的にズレ止めされる。
【産業上の利用可能性】
【００１７】
女性の生理パンツとして利用することもできる。
【図面の簡単な説明】
【００１８】
【図１】パンツの正面図である。
【図２】図１の側断面図で有る。
【図３】身体を輪切りにしてみた使用態様の横断面図である。
【図４】窓の変形例を示す図である。
【図５】パットの縦面図である。
【図６】パットの装着説明図である。
【図７】図６のパットがズレた状態の説明図である。
【符号の説明】
【００１９】
１    パンツ
２    パンツの股部
３    局所の突出用の窓
４    突出用の窓のパット押さえ縁
Ｌ    窓の長さ
Ａ    局所
Ｂ    局所の両側にあるくぼみ
Ｐ    尿取り用のパット
【図１】
2007077531.tif 000003
【図２】
2007077531.tif 000004
【図３】
2007077531.tif 000005
【図４】
2007077531.tif 000006
【図５】
2007077531.tif 000007
【図６】
2007077531.tif 000008
【図７】
2007077531.tif 000009
(57)【要約】【課題】迅速、容易かつ安価に一体的に構成することができるシート張装材を提供する。【解決手段】塑性加工可能で、シートの端部を紐等の連結手段により掛止めるための棒材と、該棒材の一部を塑性加工により突出せしめて形成された突出片と、上記棒材に並設されると共に前記突出片の先端部に溶接されて棒材と一体にされ、構造体に取り付けられる長尺材から構成される。【選択図】  図１
2007077581.tif 000002
【特許請求の範囲】
【請求項１】
塑性加工可能で、シートの端部を紐等の連結手段により掛止めるための棒材と、該棒材の一部を塑性加工により突出せしめて形成された突出片と、上記棒材に並設されると共に前記突出片の先端部に溶接されて棒材と一体にされ、構造体に取り付けられる長尺材から構成されることを特徴とするシート張装材。
【発明の詳細な説明】
【技術分野】
【０００１】
本発明は、シートを張装するための部材、すなわちシート張装材に関するものである。
【背景技術】
【０００２】
従来のシート張装材としては、例えば、図５に示すように、長尺材としての金属パイプＰと、該金属パイプＰに沿って適宜間隔で並設される棒材Ｔと、これら金属パイプＰおよび棒材Ｔを一体的に繋ぐ突出片Ｈから構成され、上記棒材ＴにシートＳの端縁を紐Ｍにより掛け止めて、シートＳを張装するようにしたものがあった。
【０００３】
しかし、上記従来のシート張装材は、図６に示すように、上記金属パイプＰと棒材Ｔ間の突出片Ｈを、それぞれ溶接して一体化するように構成されているため、これら３つの部材を所定位置に正確に固定し、しかも、突出片Ｈを金属パイプＰおよび棒材Ｔにそれぞれ溶接して、３つの部材を一体化しなくてはならず、そのため、手間と時間がかかるだけでなく、部材を固定するための治具や高精度の位置決め及び溶接作業を要する等の問題点があった。
【発明の開示】
【発明が解決しようとする課題】
【０００４】
本発明が解決しようとする課題は、迅速、容易かつ安価に一体的に構成することができるシート張装材を提供することにある。
【課題を解決するための手段】
【０００５】
本発明のシート張装材は、塑性加工可能で、シートの端部を紐等の連結手段により掛止めるための棒材と、該棒材の一部を塑性加工により突出せしめて形成された突出片と、上記棒材に並設されると共に前記突出片の先端部に溶接されて棒材と一体にされ、構造体に取り付けられる長尺材から構成されることを特徴とする。
【発明の効果】
【０００６】
本発明によれば、塑性加工により金属棒から突出片を突出せしめて構成することにより、従来のように突出片を溶接等により形成する必要がなく、迅速かつ安価に構成することができる。また、塑性加工により突出形成された突出片の先端を鉄パイプ等の長尺材に突き合わせ溶接させるだけで、迅速かつ容易に構成できるだけでなく、複雑な治具や高精度の位置決め及び溶接技術を必要としないので、安価に提供できる。
【発明を実施するための最良の形態】
【０００７】
図１は、本発明の棒材と長尺材の複合材およびそれによるシート張装状態を示す図であって、１は本発明の長尺材としての鉄パイプ、２は本発明の棒材としての鉄棒、２ａは突出片である。該鉄棒２にシートＳの端縁が紐Ｍにより張装されている。
【０００８】
図２から明らかなように、上記鉄棒２には、その長手方向に沿って、複数の突出片２ａが所定間隔で複数形成されている。各突出片２ａは鉄棒２から放射方向に同じ長さだけ突出している。該突出片２ａの先端は上記鉄パイプ１に突き合わせ溶接され、両者は一体化されている。従って、上記突出片２ａの突出長さが、上記鉄パイプ１と鉄棒２の隙間となっている。
【０００９】
図３は、上記鉄棒２およびこれに一体的に形成された突出片２ａの拡大斜視図であり、図４（Ａ）（Ｂ）はその形成方法を説明する図である。すなわち、上記鉄棒２の上下から図４（Ａ）のような金型Ｇを矢印のように押し込むと、図４（Ｂ）のように、鉄棒２の一部が押し潰され、横方向に延出して突出片２ａが形成される。なお、上記金型Ｇにより押し潰される鉄棒２の一部が、横方向（軸方向）に確実に延出するように、その周囲の鉄棒２は押さえ込んでおくのが好ましい。
【００１０】
本発明における棒材は、上記実施例の鉄棒２に限定するものではないが、塑性加工が可能で、しかも、溶接可能な金属材料（例えば、鉄、銅、アルミニウム、それらの合金など）である必要がある。また、本発明における長尺材は、上記実施例の鉄パイプ１である必要はなく、上記金属性棒材と溶接可能な金属材料（例えば、鉄合金や、銅、アルミニウム、それらの合金など）であれば、その断面形状や太さはいずれでもよい。
【図面の簡単な説明】
【００１１】
【図１】本発明のシート張装材によりシートを張装した断面図である。
【図２】本発明のシート張装材の分解斜視図である。
【図３】鉄棒および突出片の斜視図である。
【図４】鉄棒および突出片のプレス加工を示す説明図（Ａ）（Ｂ）である。
【図５】従来のシート張装材によりシートを張装した平面図（Ａ）およびその断面図（Ｂ）である。
【図６】従来の複合材の分解斜視図である。
【符号の説明】
【００１２】
１    鉄パイプ
２    鉄棒
２ａ  突出片
Ｇ    金型
Ｈ    突出片
Ｍ    紐
Ｐ    金属パイプ
Ｓ    シート
Ｔ    棒材
【図１】
2007077581.tif 000003
【図２】
2007077581.tif 000004
【図３】
2007077581.tif 000005
【図４】
2007077581.tif 000006
【図５】
2007077581.tif 000007
【図６】
2007077581.tif 000008
(57)【要約】【課題】  自動車のカムシャフト角度を、マイコンで制御される、エンコーダー式サーボモーターにより、自在にコントロールする事で、エンジンの性能を向上させ、高出力、高性能と、低燃費を両立させるものである。【解決手段】  カムシャフト駆動部分１及びカムシャフト軸２間にスライド式のスリーブ３を追加、これをエンコーダー式サーボモーター４によりスライド駆動することで、ツインカム車などの、排気側カム、吸気側カムを、個別で自在にコントロール制御を行い、車の状況に合わせたカムシャフト角度を実現、燃焼効率を改善する事により、出力、燃費、の向上を可能にする【選択図】    図１
2007077973.tif 000002
【特許請求の範囲】
【請求項１】
車のエンジンの、カムシャフト駆動において、スライド式のスリーブをカム軸に追加し、マイコン制御のモーターにより、スライドコントロールすることで、カムシャフトの角度を自在にコントロールし、燃焼効率を改善、エンジンの性能を向上させ、高出力、高性能と、低燃費を両立させるカムシャフト角度コントロール装置。
【請求項２】
カムシャフトの角度をコントロールする手段として  本来一体形成される車のカムシャフトにおいて、駆動ギアとカムシャフト軸を分離し、その間に内側と外側で異なるギア形状を持つスリーブを追加、これをスライドすることにより、ギアの位相差によって、カムシャフト角度を、自在にコントロールすること事を特徴とした、請求項１記載のカムシャフト角度コントロール装置。
【発明の詳細な説明】
【技術分野】
【０００１】  本発明は自動車のカムシャフトを、回転数、車の負荷状態、アクセル開度に対応し、自在にカム角度をコントロールする事で、低燃費と、高出力  を両立させるものである。
【背景技術】
【０００２】  従来は、油圧、回転数などで、一律に角度を切り替えており、それらに影響されずツインカム等において、排気側カム、吸気側カムを、個別で自在にコントロール制御する装置はなかった
【特許文献１】特許出願平５−１７０１６８
【特許文献２】特許出願平１１−３５７８４７
【発明の開示】
【発明が解決しようとする課題】
【０００３】  カムアングルの不適正による、低速時のトルク不足  によるもたつき、高回転時の出力不足、これらの事由による燃費の  悪化等を、車の現状に合わせた、カムシャフトの角度コントロールを行う事により解消する為になされたものである。
【課題を解決するための手段】
【０００４】  図１において、カムシャフト駆動ギア１とカムシャフト軸２の間に、外側がストレート、内側が、スパイラル式かテーパー式のギア、スリーブ３を追加。
このスリーブの、スライドを行う事によって実現する自在なカムシャフトの角度コントロールによって、燃焼効率を改善し上記問題を解決するものである。
【発明の効果】
【０００５】  全速度、全回転域における、トルク、出力の向上  燃焼効率の向上による燃費の改善オートマチック車におけるキックダウン回数の改善  緩やかな坂で、シフトアップと、シフトダウンを繰り返すシーソー状態の改善。
４速ミッションで５速ミッションに匹敵するギアリングの  カバーが可能  全域トルクエンジンによるディーゼルトラックの排気煙改善、トラックのガソリンエンジン化の可能性。
【発明を実施する為の最良の形態】
【０００６】  図１に示すように、通常一体形成されている１カムシャフト駆動ギアと２カムシャフト軸を分離し、３スライドスリーブで連結する。
このスライドスリーブは先端部だけ、５連結ベアリングを介して無回転となる。
この３スライドスリーブを先端部分に取り付けた、４エンコーダー式サーボモーターにより、左右にスライドをさせる。
図２に示すように、３スライドスリーブは、内側がテーパーギア、外側はストレートギアと、異なる形状をしており、外側は、１カムシャフト駆動ギアとかみ合い、内側にテーパーギア式２カムシャフト軸が差し込まれる。
この３スライドスリーブを左右に移動させる事で、１カムシャフト駆動ギアと、２カムシャフト軸のかみ合い位相の変更がなされ、進角、遅角を、自在にコントロールするものである。
４エンコーダー式サーボモーターは、３スライドスリーブと、２カムシャフトギアのテーパー噛み会いによる、飛び出し圧力を避ける為、図４の様にボルトナット式のスライド方式プラス、ウォームギアピニオンで駆動する等、ギアリングを行う必要がある。
【図面の簡単な説明】
【０００７】
【図１】  本発明の、側面、断面図、である
【図２】  カムシャフト軸の側面図  ▲１▼  スライドスリーブの断面図、正面図  ▲２▼  スライドスリーブの側面図、である  ▲３▼
【図３】  カムシャフトギアの振れ防止、及び耐久性向上の為、カムシャフト駆動ギア１とスライドスリーブ３の外側ギアを幅広くかみ合わせたタイプの図面である。
【図４】  エンコーダー式サーボモーターによる駆動方法の一例の図面である
【符号の説明】
【０００８】
【図１】
１  カムシャフト駆動ギア
２  カムシャフト軸
３  スライドスリーブ
４  エンコーダー式サーボモーター
５  連結ベアリング
６  固定用ベアリング
【図１】
2007077973.tif 000003
【図２】
2007077973.tif 000004
【図３】
2007077973.tif 000005
【図４】
2007077973.tif 000006
(57)【要約】      （修正有）【課題】従来の推進力や浮揚力発生装置や技術とは別に、遠心力応用により、従来とは全く違う乗り物を開発できる遠心力推進・浮揚モータを提供する。【解決手段】遠心力を横方向（回転軸に対して９０°）の力から、縦方向（回転軸に対して０°＜Ｘ°＜９０°）の牽引力に変換する。  すなわち、円筒１の内部の底に、一端が固定された引きバネ３又は引きバネと同等の効果を発揮する油圧式等のものを介して、球状重り２がフレキシブルに接続されている部品が、円錐形のローター６の内部側面に回転軸５に対して縦方向に固定されている装置。前記のローターが回転する事により、前記円筒内部の重りに生ずる遠心力は前記円筒により、横方向から縦方向の牽引力に変換される。結果として、本装置に推進力又は浮揚力を発生せしめる。【選択図】  図２
2007077974.tif 000002
【特許請求の範囲】
【請求項１】
遠心力を横方向（回転軸に対して９０°）の力から縦方向（回転軸に対して０°＜Ｘ°＜９０°）の牽引力に変換する装置。※Ｘ°は円錐形ローターの円錐角度。
すなわち、円筒内部の底に、一端が固定された引きバネ又は引きバネと同等の効果を発揮する油圧式等のものを介して、球状重りがフレキシブルに接続されている部品が、円錐形のローター内部側面に回転軸に対して縦方向に固定されている装置。
前記円錐形のローターが回転する事により、前記円筒内部の重りに生ずる遠心力は前記円筒により、横方向の力から縦方向の牽引力に変換される。結果として本装置に推進力又は浮揚力を発生せしめる。遠心力式推進・浮揚モーター。
【請求項２】
前記遠心力式推進・浮揚モーター本体を、既存電動モーター内部の回転軸に一体的に設置。
【発明の詳細な説明】
【技術分野】
【０００１】  本発明は推進力や浮揚力についての発生装置に関するもの。
【背景技術】
【０００２】  従来の推進力や浮揚力発生装置はベルヌイの定理や電磁力を応用したもの。又は作用反作用を利用したもの等が主流であった。【０００３】  従来の装置や技術では、大気中でなければ概ね効果を発揮しないものや、宇宙空間では莫大な資金を要するものであった。【０００４】  従来の技術や装置を利用したものとしては、自動車、船舶、鉄道、航空機、ロケット等々がある。
【発明の開示】
【発明が解決しようとする課題】
【０００５】  以上に述べた従来の推進力や浮揚力装置では、自動車について述べれば、車輪を介して結果的に推進力を得ていた。航空機については翼や回転翼が必要であり、いずれも大気中でないと効果を発揮出来なかった。船舶はアルキメデスの原理に縛られ、ロケットは莫大な費用を必要とした。【０００６】  本発明は、このような従来の推進力や浮揚力発生装置や技術とは別に、遠心力応用により、従来とは全く違う乗り物等を開発出来る。
【課題を解決するための手段】
【０００７】  そして本発明は上記目的を達成するために、遠心力を横方向（回転軸に対して９０°）の力から縦方向（０°＜Ｘ°＜９０°）の牽引力に変換する装置。すなわち、円筒内部の底に、一端が固定された引きバネ又は引きバネと同等の効果を発揮する油圧式などのものを介して、球状重りがフレキシブルに接続されている部品が、円錐形のローター内部側面に回転軸に対して縦方向に固定されている装置。
前述ローターが回転する事により、前記円筒内部の重りに生ずる遠心力は前記円筒により横方向の力から縦方向の牽引力に変換される。結果として本装置に推進力又は浮揚力を発生せしめる。【０００８】  又、本装置を既存の電動モーター内部の回転軸に一体的に設置する事により、小型化、軽量化が計れるものである。【０００９】  上記課題解決手段による作用は次の通りである。すなわち、推進力や浮揚力を必要とする全ての装置に本発明は対応出来、大気中、宇宙を問わず応用出来るものである。
【発明の効果】
【００１０】  上述したように本発明の遠心力式推進・浮揚モーターは推進力及び浮揚力に関して、従来の乗り物等にない原理応用である為、全く新しい乗り物等が開発出来る事となる。従って産業の発展に大きく貢献出来る。【００１１】  又、本発明は推進力や浮揚力を得る為の装置としては構造が簡単な為、故障も少なく製造コストも安価に出来る利点がある。
【発明を実施するための最良の形態】
【００１２】  以下、本発明の実施形態を図１及び図２に基づいて説明する。【００１３】  図１及び図２においては、１は円筒で６の円錐形のローターに固定されている。２は重りで、３は引きバネである。１の円筒内部の底に、一端が固定された３の引きバネを介して、２の球状重りがフレキシブルに接続されている。６は円錐形のローターで、５は円錐形のローターの回転軸である。【００１４】  図３は本発明である装置を既存の電動モーター内部の回転軸に一体的に設置したものである。１１は電動モーター及び本装置の回転軸である。１０は永久磁石で、９は電磁コイルである。
尚、９、１０は電動モーターの部品である。【００１５】  以下、上記構成の動作を説明する。
まず、６の円錐形のローターが回転すると、前記ローターに固定された１の円筒本体も５の円錐形のローターの回転軸を中心に回転する。従って１の円筒内部の２の重りに遠心力が働く事になる。１の円筒の角度Ｘ°が５の回転軸に対して０°＜Ｘ°＜９０°なので必然的に２の球状重りは１の円筒内部に沿って、（５の回転軸に対して縦方向に）移動しようとする。すなわち、牽引力が発生する。結果として推進力や浮揚力が生じる。【００１６】  又、６の円錐形のローターの回転数を制御する事により、発生させる牽引力をコントロール出来る為、コンピューター制御により、精緻な動作を可能に出来る。
【図面の簡単な説明】
【００１７】
【図１】  本発明の実施形態を示す本装置の側面図
【図２】  同装置の断面図
【図３】  同装置の既存電動モーター内部回転軸への一体的設置図
【符号の説明】
【００１８】１  円筒
２  球状重り
３  引きバネ
４  自在（フレキシブル）接手
５  円錐形のローター回転軸
６  円錐形のローター
７  電動モーター外殻
８  本発明の装置本体
９  電磁コイル※電動モーターの部品
１０  永久磁石※電動モーターの部品
１１  電動モーター軸兼本装置の回転軸
１２  Ｘ°※円錐形のローターの円錐角度
【図１】
2007077974.tif 000003
【図２】
2007077974.tif 000004
【図３】
2007077974.tif 000005
(57)【要約】      （修正有）【課題】石鹸液を水溶紙に染み込ませる過程で印刷が滲むことがなく、また、水溶紙が溶解したり分散することがなく、印刷品質の良い紙石鹸が得られる製造方法を提供する。【解決手段】巻回されてロール紙となっている薄い水溶紙１を延ばして表面１ａに石鹸液に浸食されない耐石鹸性インキで印刷しながら印刷済み水溶紙１Ａを巻取り、その後、これを再び延ばして裏面に石鹸液を薄く塗布した後、巻き取らずに所要のサイズに断裁する。【選択図】図１
2007077175.tif 000002
【特許請求の範囲】
【請求項１】
水溶紙の表面に印刷した後、その裏面に石鹸液を塗布することを特徴とする紙石鹸の製造方法。
【請求項２】
巻回された水溶紙を延ばして表面に印刷しながら巻取り、これを再び延ばして裏面に石鹸液を塗布した後、巻き取らずに所要のサイズに断裁することを特徴とする紙石鹸の製造方法。
【請求項３】
水溶紙表面への印刷を、石鹸液に浸食されない耐石鹸性インキで行うことを特徴とする請求項１又は２に記載の紙石鹸の製造方法。
【発明の詳細な説明】
【技術分野】
【０００１】
本発明は、印刷を施された紙石鹸の製造方法に関する。
【背景技術】
【０００２】
特許文献１（特開２００３−８２３９７号公報）には、カルボキシメチルセルロースアルカリ塩と木材パルプとからなる水溶紙に、ポリビニルピロリドンとセラックとからなるビヒクルに法定色素を添加してなるインク組成物を用いてフレキソ印刷等により印刷した後、ロール状に巻回された水溶紙を塗工槽内に通過させて液状石鹸を塗工し、過剰な液状石鹸をローラで絞り除去するとともに、熱乾燥して、印刷された紙石鹸を得る方法が開示されている。
【０００３】
しかし、これによると、水溶紙を印刷後にいったん巻回してから引き出して塗工槽内に通過させ、つまり引き出した水溶紙を液状石鹸中に浸漬することで液状石鹸を塗工するため、ビヒクルに法定色素を添加したインク組成物を用いても、液状石鹸の塗工工程でインク組成物が溶解して印刷が滲んだり、水溶紙そのものが溶解してしまう問題がある。また、液状石鹸の塗工後、過剰な液状石鹸をローラで絞り除去する際には、塗工工程で弱っている水溶紙に機械的な外力を加えることになるため、ここでも、印刷が滲んだり、水溶紙が分散してしまう問題があり、商品となり得る印刷入り紙石鹸を製造することは非常に困難である。
【特許文献１】特開２００３−８２３９７号公報
【発明の開示】
【発明が解決しようとする課題】
【０００４】
本発明の課題は、石鹸液を水溶紙に染み込ませる過程で、印刷が滲むことがないとともに、水溶紙が溶解したり分散することがなく、印刷品質の良い紙石鹸が確実に得られる紙石鹸の製造方法を提供することにある。
【課題を解決するための手段】
【０００５】
本発明では、水溶紙の表面に印刷した後、その裏面に石鹸液を塗布する。
その適例では、巻回された水溶紙を延ばして表面に印刷しながら巻取り、これを再び延ばして裏面に石鹸液を塗布した後、巻き取らずに所要のサイズに断裁する。
水溶紙表面への印刷は、石鹸液に浸食されない耐石鹸性インキで行うことが好ましい。
なお、本発明において「水溶紙」とは、素材が水溶性の紙に限定されるものではなく、それと同等のシート状素材も含めて言うものとする。
【発明の効果】
【０００６】
本発明によれば、先に水溶紙の表面に印刷し、その後、裏面に石鹸液を塗布するので、表面の印刷が石鹸液で滲むことがなく、またその塗布工程で水溶紙そのものが溶解・分散することがないので、印刷品質の良い紙石鹸が確実に得られる。
【発明を実施するための最良の形態】
【０００７】
次に、本発明の実施例を図面に基づいて詳細に説明する。
【実施例】
【０００８】
図１に示すように、巻回されてロール紙となっている薄い水溶紙１を引き出し、その表面１ａに図示しない印刷機でインクにより印刷しながら、印刷済み水溶紙１Ａとして巻き取る。その印刷は、グラビア印刷、オフセット印刷、フレキソ印刷等の一般的な印刷法でよいが、使用するインクは、水溶紙１が薄くて水溶性であることから、速乾性を備え、しかも、この後で塗布する石鹸液で印刷が滲まないように、塗布する石鹸液に浸食されない耐石鹸性を備えたものが良い。
【０００９】
印刷する領域２は、印刷済み水溶紙１Ａを次工程の石鹸液塗布後に所要のサイズに断裁して紙片とするため、各紙片に収まる範囲とする。印刷する内容は、文字、模様、絵、キャラクタなど任意である。
【００１０】
次に、図２に示すように、巻回された印刷済み水溶紙１Ａを裏返して引き出しながら、裏面１ａに石鹸液を塗布する。ここで、石鹸液中に水溶紙１を浸漬させずに、石鹸液を印刷面（表面）とは反対面（裏面）に塗布、しかも、単位面積当たりの塗布量を調整して印刷面が石鹸液で浸食されないように薄く塗布することが重要である。
【００１１】
石鹸液塗布後の水溶紙１Ｂは、巻き取らずに引き延ばした状態のまま、必要に応じて乾燥処理を行った直後に所要のサイズに断裁する。これにより、表面１ａに印刷が施されているとともに、裏面１ｂから石鹸液を塗布浸透させた水溶性の紙片である紙石鹸３が次々に得られるもので、これを所定の枚数ずつ重ね合わせて紙石鹸束３Ａとする。
【００１２】
そして、この紙石鹸束３Ａの上下両側に、図３に示すように、その保護のために、石鹸液が浸透しない上下の保護カード４を重ね合わせ、これら全体を包むように包装フィルム又は包装紙５等で包装し、これを紙石鹸品６として出荷する。
【００１３】
このようにして製造された紙石鹸３は、水溶紙１に印刷した後に石鹸液を浸透させてあるものの、印刷は表面で、石鹸液は裏面から塗布してあるため、表面の印刷が滲んでいることはない。また水溶紙１自体も、その裏面に石鹸液を塗布した後は、石鹸液を絞ることなく、また巻き取ることなくそのまま断裁してあるので、水溶紙１としての原状を保持したままの品質の良い印刷入り紙石鹸として提供できる。
【図面の簡単な説明】
【００１４】
【図１】本発明の方法の一例における印刷工程を示す斜視図である。
【図２】石鹸液の塗布工程、水溶紙の断裁工程を示す斜視図である。
【図３】保護カードを重ね、包装して商品化するまでの工程を示す斜視図である。
【符号の説明】
【００１５】
１  水溶紙
１ａ  表面
１ｂ  裏面
１Ａ  印刷済み水溶紙
１Ｂ  石鹸液塗布後の水溶紙
２  印刷する領域
３  紙石鹸
３Ａ  紙石鹸束
４  保護カード
５  包装フィルム又は包装紙
６  紙石鹸品
【図１】
2007077175.tif 000003
【図２】
2007077175.tif 000004
【図３】
2007077175.tif 000005
(57)【要約】      （修正有）【課題】  防疫効果が高く、安全性に富む植物用薬剤の提供。【解決手段】キンポウゲ科トリカブト属植物（例えば、ヤマトリカブト、カワチブシ、キタヤマブシ、タンナトリカブト）の塊根を超臨界抽出、溶剤抽出などの成分抽出を行い、アコニチンなど有効成分を保持した抽出物を作成し、この抽出物を１００℃〜１３０℃で熱処理し毒性除去、減弱操作を行い、その処理抽出物に界面活性剤を重量比で１０％以下配合した植物用薬剤。【選択図】なし【特許請求の範囲】
【請求項１】
トリカブト属植物の塊根を超臨界抽出、溶媒抽出などで処理し、抽出物を１００℃以上１３０℃以内で熱処理した後、その処理抽出物に界面活性剤を重量比で１０％以下配合した植物用薬剤。
【発明の詳細な説明】
【技術分野】
【０００１】  本発明は、キンポウゲ科トリカブト属植物のアコニチンなどの活性成分を、他植物の防疫、賦活にもちいるもので、国際特許分類Ａ０１  ２５／００を主目的とする。
【背景技術】
【０００２】  従来の植物防疫、防除剤は化学合成薬品が多く、最近植物エキスを含む製品もみられるが、効力は弱く、特許第３１２３７２７号のマツノザイセンチュウ防除剤の様に取り扱いに注意が必要の製品もあり、無害で扱い易く、効果の良い植物用薬剤が求められていた。【０００３】
【特許文献】  特許第３１２３７２７号
【発明の開示】
【発明が解決しようとする課題】
【０００４】  安全で使用しやすく効果の良い植物用薬剤の開発
【課題を解決するための手段】
【０００５】  本発明は、その目的のためにトリカブトを超臨界抽出、液剤溶液抽出を行ない、抽出物を加熱、加圧して人体に対する有害性除去操作も並行し、その抽出物を溶液として使用する。
【発明の効果】
【０００６】トリカブトの有効成分は、植物を活性化して病虫害に抵抗力を増大させ、さらに殺菌、殺虫作用もあり、安全性に富む効果がある。
【発明を実施するための最良の形態】
【０００７】トリカブト属植物は、ヤマトリカブト、カワチブシ、キタヤマブシ、タンナトリカブトなど種類は多いが、それらの塊根を超臨界抽出、溶剤抽出などの成分抽出を行ない、アコニチンなど有効成分を保持した抽出物を作成する。この抽出物を若干の加圧下で１２０℃で熱水処理、または溶媒処理を１分から５分行ない有毒性を減少させ、その処理抽出物に界面活性剤を重量比で１０％以下添加して液剤または粉末とする。
【実施例】
【０００８】以上の様に作成したトリカブトを原料とした植物用薬剤を、水、アルコールなどで適当濃度に調整して、植物に散布する。
トリカブトの活性化、賦活作用は著しく生花でも数日以上保持出来、活力の衰えたツバキ、クワ、ブナ、ブドウ、カエデなどの植木にも樹勢の復活がみられる。
【産業上の利用可能性】
【０００９】人体への危害を防止する様に配慮しているので、一般家庭でも屋上庭園、庭の植木などに利用出来る。
(57)【要約】【課題】メントールが有する揮発性、難溶解性など性質の改善に関し、食品や夏用シャンプーやボディーローションなど様々な用途に使用できるメントール含有素材を提供する。【解決手段】シクロデキストリンの飽和水溶液にメントールを添加し、５０℃〜１３５℃の加温と０．１１Ｍｐａ〜５０Ｍｐａの加圧を同時に行なう工程を加えることにより、メントールのシクロデキストリンへの包接量が高める。これによりメントール含有素材は、メントールの揮発を防ぎ、溶解性に優れ、様々な用途に使用することが出来る。【特許請求の範囲】
【請求項１】
シクロデキストリンおよびメントールを含有する溶液を５０℃〜１３５℃の加温および０．１１ＭＰａ〜５０Ｍｐａの加圧を同時に行なう工程で処理することを特徴とする包接複合体の製造法
【請求項２】
シクロデキストリン高濃度溶液にメントールを添加することを特徴とする請求項１記載の製造法
【請求項３】
該包接複合体に含有するメントールが７．４〜１５％（ｗ／ｗ）含有することを特徴とする請求項１〜２記載の製造法
【発明の詳細な説明】
【技術分野】
【０００１】
本発明は、メントールが有する揮発性、難溶解性など性質の改善に関し、メントールをシクロデキストリン高濃度溶液に添加し、効率よく包接化合物を製造する技術に関する。
【背景技術】
【０００２】
メントールはハッカやセイヨウハッカなどの植物に含まれる揮発性の精油成分であり、その特有の清涼感を伴うハッカ香味から、一般的に清涼剤として、食品や夏用シャンプーやボディーローションに使われる。しかしながら、メントールの性状が水に難溶であることやその昇華性のために時間経過とともにハッカ香味が持続しないことに問題があった。
【０００３】
メントールの性状が水に難溶であることは、乳化剤を用いて懸濁する技術やアルコール等の有機溶媒に溶解によって溶解性を向上させる技術そしてメントールに少糖類を付加した配糖体によって水溶性を向上させる技術（引用文献１）などにより改善されている。
【０００４】
ハッカ香味の持続は、ｌ‐メントールをサイクロデキストリンによって包接して内服液に利用する技術が示されている。（引用文献２）
【特許文献１】特公昭５１−１０５
【特許文献２】特開平１０−３０６０２２
【発明の開示】
【発明が解決しようとする課題】
【０００５】
引用文献１の技術であるメントール配糖体は、その持続力が高く、水に易溶であるも清涼感がやや少ないとの問題があった。
【０００６】
引用文献２の技術である包接物は、高価なシクロデキストリンを包接ホストとして大量に使用しなければならないなどの問題点があった。
【課題を解決するための手段】
【０００７】
（１）シクロデキストリン高濃度溶液にメントールを添加し、該溶液を５０℃〜１３５℃の加温と０．１１ＭＰａ〜５０Ｍｐａの加圧を行なう工程で処理することを特徴とする包接複合体。
（２）該包接複合体に含有するメントールが７．４〜１５％（ｗ／ｗ）であること。
【発明の効果】
【０００８】
シクロデキストリン高濃度溶液にメントールを添加し、５０℃〜１３５℃の加温と０．１１ＭＰａ〜５０Ｍｐａの加圧を同時に行なう工程で処理することにより、メントールのシクロデキストリンへの包接量を高める。
【発明を実施するための最良の形態】
【０００９】
本発明において包接に用いるメントールは８種類の光学異性体が存在するが、本発明におけるメントールはｌ−メントールが最も好ましい。
【００１０】
本発明においてメントールの包接に用いるシクロデキストリンは、α−シクロデキストリン、β−シクロデキストリン、γ−シクロデキストリン、分岐シクロデキストリン、アルキルシクロデキストリン及び／またはヒドロキシアルキルシクロデキストリン、およびそれらの混合物である。上記に挙げたシクロデキストリンで、シクロデキストリン誘導体におけるアルキル基の炭素数は、通常、１〜６の範囲である。本発明において、特に好ましいシクロデキストリンは、コストの面に優れ、包接効率に優れるβ−シクロデキストリンまたはその誘導体である。
【００１１】
シクロデキストリンとメントールを含有する溶液は、シクロデキストリンが高濃度状態にあるのであれば、どのような方法で調製してもよい。
【００１２】
シクロデキストリンとメントールを含有する溶液を加温と加圧する方法はどのような方法であってもよいが、同時に加温と加圧を行なうことが必要である。
【００１３】
本発明の包接複合体は、シクロデキストリンがメントールを包接していればどのような形態でもよいが、包接後に直ちに使用しない場合は、作業性や品質保持の面において粉末状にすることが好ましい。
【００１４】
本発明の包接複合体におけるメントールは、固形分重量あたり７．４〜１５％（ｗ／ｗ）のを含有することが好ましく、メントールの含有量は、ガスクロマトグラフ法（検出器；ＦＩＤ、カラム；無極性キャピラリーカラム使用。）により確認できる。
【００１５】
以下、実施例により本発明を具体的に説明するが，本発明は実施例によって限定されるものではない。
【実施例１】
【００１６】
各種シクロデキストリンの２０％（ｗ／ｖ）水溶液３００ｍｌにｌ−メントール１０ｇを添加し、攪拌しながら３０分間、加圧・加圧処理（０．２Ｍｐａ／１３５℃）を行なった。得られた溶液又は懸濁液をスプレードライヤーにて粉末化した。
【００１７】
（比較例１）
８０℃に調温した各種シクロデキストリンの２０％（ｗ／ｖ）水溶液３００ｍｌにｌ−メントール１０ｇを添加し、ホモミキサーにて３０分間攪拌した後、得られた溶液又は懸濁液をスプレードライヤーにて粉末化した。
実施例１、比較例１で得られた粉末サンプルについて、メントール含量の比較を行った。メントール含量は、ガスクロマトグラフ分析法により測定した。結果を表１に示した。
【実施例２】
【００１８】
ＨＰ−β−ＣＤの４０％（ｗ／ｖ）水溶液３００ｍｌにｌ−メントール１１．６ｇを添加し、攪拌しながら３０分間、加圧・加圧処理（０．２Ｍｐａ／１３５℃）を行なった。得られた液体を室温まで冷却した。
【００１９】
（比較例２）
８０℃に調温したＨＰ−β−ＣＤの４０％（ｗ／ｖ）水溶液３００ｍｌにｌ−メントール１１．６ｇを添加し、ホモミキサーにて３０分間攪拌した。得られた液体を室温まで冷却した。
【００２０】
実施例２、比較例２で得られた液体サンプルの外観を目視にて観察した。実施例２は、透明であり、比較例２は、白濁していた。
【表１】
2007077124.tif 000002
(57)【要約】【課題】マツグミなどヤドリギ科植物による植物用薬剤の開発。【解決手段】マツグミなどのヤドリギ科植物の果実を砕き粘調状とし、光触媒を添加したこと。【特許請求の範囲】
【請求項１】
マツグミなどのヤドリギ科植物の果実を砕き、粘調状として、これに光触媒を１０％以下添加するマツグミなどのヤドリギ科果実を用いる植物防疫方法。
【発明の詳細な説明】
【技術分野】
【０００１】国際特許分類Ａ０１Ｍ  １／００の昆虫を捕獲または殺除する分野を主目的とするが、Ａ０１Ｎ２５／００の殺生物剤、有害生物忌避剤または誘引剤、または植物成長調節剤にも属する。
【背景技術】
【０００２】マツグミは、ヤドリギ科に属し、松などに寄生するので有害植物とされているが、有益な成分があり植物の成育、病虫害防除にも利用しうることが判明した。いわゆる植物エキス剤であるが、ヤドリギ科植物の利用は無い。
【発明の開示】
【発明が解決しようとする課題】
【０００３】マツグミなどのヤドリギ科植物の特性を利用した植物用薬剤の開発。
【課題を解決するための手段】
【０００４】マツグミなどヤドリギ科植物の果実に衝撃を与え破壊し、撹拌して粘調状とし、重量比で１０％以下の光触媒を加え、その粘調状物を対象植物に塗布して対象植物を防疫、保護する。この際、粘調状物を水、アルコールなどで稀釈してもよい。
【発明の効果】
【０００５】光触媒を接着剤に混和することは公知であるが、マツグミなどヤドリギ科植物の果実と混和する技術は無い。ヤドリギ科植物のもつフラボン化合物、樹脂アルコールなど、特異な成分と光触媒の相互作用で植物防疫に効果がある。
【発明を実施するための最良の形態】
【０００６】マツグミの果実２００ｇをとり、打撃を与え撹拌する。果実は粘調なペースト状となるので、これに光触媒１０ｇを加え、均一にする。
最近の光触媒は種類が多いが酸化チタン系触媒でも効果がある。
【実施例】
【０００７】この様に作成した粘調状物を対象植物の必要部分にそのまま、或は水、アルコールなどで稀釈して使用する。
松などの枝に塗布すると立ち枯れ病の予防に良い。
【産業上の利用可能性】
【０００８】マツグミなどヤドリギ科植物には特異な成分が多く、欧州では精神障害、てんかんに、日本でも民間薬として糖尿病、高血圧治療に用いられるなど未知成分があり、本発明はこれらの有効物質が光触媒と関連して、植物の生態に影響することを発見したことが起因である。
産業上の利用価値は各分野に及ぶものである。
(57)【要約】      （修正有）【課題】セフェピムは、広い作用スペクトルを有するセファロスポリンであり、滅菌二塩酸セフェピム一水和物へ直接変換する工業的方法の提供。【解決手段】合成により生産された硫酸セフェピムを、ｐＨ７．０ないし８．０の水に０℃から＋５℃の間の温度で溶解すること、１５％から３０％の間の濃度の水酸化ナトリウム水溶液を添加し、次いで前記溶液を水混和性有機溶媒で希釈して、形成された硫酸ナトリウムを沈殿させること、前記沈殿を濾過し、次いで滅菌条件下で前記溶液を濾過すること並びに前記溶液を６ＮＨＣｌによりｐＨ０．４ないし０．６に酸性化し、次いで二塩酸塩一水和物が完全に沈殿するまで同一のすでに使用された有機溶媒で希釈し、次いで沈殿を濾過し、アセトンで洗浄しおよび真空下で３．０％から４．５％の間のＫ．Ｆ．になるまで乾燥することを特徴とする、滅菌した二塩酸セフェピム一水和物を製造するための方法。【選択図】なし【特許請求の範囲】
【請求項１】
合成により生産された硫酸セフェピムを、ｐＨ７．０ないし８．０の水に０℃から＋５℃の間の温度で溶解すること、１５％から３０％の間の濃度の水酸化ナトリウム水溶液を添加し、次いで前記溶液を水混和性有機溶媒で希釈して、形成された硫酸ナトリウムを沈殿させること、前記沈殿を濾過し、次いで滅菌条件下で前記溶液を濾過すること並びに前記溶液を６ＮＨＣｌによりｐＨ０．４ないし０．６に酸性化し、次いで二塩酸塩一水和物が完全に沈殿するまで同一のすでに使用された有機溶媒で希釈し、次いで沈殿を濾過し、アセトンで洗浄しおよび真空下で３．０％から４．５％の間のＫ．Ｆ．になるまで乾燥すること
を特徴とする、滅菌した二塩酸セフェピム一水和物を製造するための方法。
【請求項２】
６ＮＨＣｌによる前記溶液の酸性化が、ｐＨが０．５になるまで行われることを特徴とする、請求項１に記載の方法。
【請求項３】
硫酸セフェピムが７５％から８５％の間の純度を有することを特徴とする、請求項１及び請求項２に記載の方法。
【請求項４】
前記有機溶媒がアセトンであることを特徴とする、請求項１ないし３に記載の方法。
【発明の詳細な説明】
【技術分野】
【０００１】
本発明が関連するアミノ酸は抗生物質、特にセファロスポリンであり、より具体的にはセフェピムとして知られているセファロスポリンである。
【背景技術】
【０００２】
セフェピムは、広い作用スペクトルを有するセファロスポリンであり、米国特許第４４０６８９９号に記載されており、米国特許第４９１０３０１号に記載されている二塩酸塩一水和物として注射によって投与される。前記二塩酸塩一水和物の調製は、特定の特許、すなわち米国特許第４９１０３０１号、米国特許第４９９４４４５１号、米国特許第５２４４８９１号、米国特許第５５９４１２９号に記載されている。調製は、合成により得られた硫酸塩がイオン交換樹脂で処理され、純粋な双性イオンが遊離され、それより望ましい二塩酸塩が調製されることを必須として行われる。米国特許第４９１０３０１号の実施例１１に記載の方法によれば、理論値の８８．６％に等しい収率が得られるが、前記操作はかなり冗長で複雑である。概念的に言えば、イオン交換樹脂による処理後に得られた、前記双性イオンを含有する水溶液は、溶媒で抽出後６ＮＨＣｌにより酸性化され、残余溶媒が留去され、脱色されおよび濾過される。アセトンが、このようにして得られた前記酸性水溶液へ前記二塩酸塩の沈殿が完了するまで滴下により添加される。一方、前記樹脂は別に再生される。
【発明の開示】
【発明が解決しようとする課題】
【０００３】
本特許出願の目的は、上記米国特許第４９１０３０１号のすでに十分な方法よりも一層高い収率を有する、非常に単純で迅速な工業的方法を記述することである。
【０００４】
この目的に関して、前記双性イオンを遊離させるための樹脂により処理は、手順を冗長にしおよび樹脂の再生用などの反応器、フィルター等を含むので、しかしながら前記合成から派生した硫酸セフェピムは、結晶化溶媒を除いて有機溶媒を使用せずに滅菌二塩酸セフェピム一水和物へ直接変換できるので、驚くべきことに不必要であることが明らかとなった。前記硫酸セフェピムは、実際、水へ供給され、水酸化ナトリウム水溶液を添加することにより対応する双性イオンへと変換され、このようにして得られた溶液は、脱色され、アセトンで希釈され、濾過されて沈殿した硫酸ナトリウムが除去される。それゆえ、前記二塩酸塩が６ＮＨＣｌの添加によってそれより簡単に結晶化される溶液が得られる。
【０００５】
ここで、以下の実施例において、上述の方法が詳細に記載される。
【実施例１】
【０００６】
８０．６５％の純度を有する硫酸セフェピム３００ｇを、冷却され０℃／＋５℃に維持された脱イオン水１３００ｍｌへと供給し、次にｐＨが７．７になるまで水酸化ナトリウム水溶液を滴下により添加する。
【０００７】
前記水溶液をアセトン６ｌで希釈する。硫酸ナトリウムの沈殿を濾過し、アセトン及び脱イオン水の溶液で洗浄する。得られた溶液を滅菌ろ過し、滅菌水で洗浄する。
【０００８】
前記溶液をアセトン１ｌで希釈し、６ＮＨＣｌを周囲温度でｐＨ０．５になるまで滴下により添加する。次にアセトン１０ｌを周囲温度で細い流れとして３０分かけて添加し、周囲温度で結晶化を完了するまで撹拌し続ける。
【０００９】
前記生成物を濾過し、アセトンで洗浄し、次いで真空下４０℃で３．０％ないし４．５％のＫ．Ｆ．になるまで乾燥させる。
【００１０】
収量：  ８４．６３％の純度を有し、理論値の９１％収率に等しい、二塩酸セフェピム一水和物２６０ｇ。
【００１１】
実施例１に記載された操作によって、７５％ないし８５％の純度を有する硫酸セフェピムを使用し、及び前記ｐＨが７から８の間になるまで水酸化ナトリウム水溶液を添加することによって、同様の結果を得ることができる
【外国語明細書】
2007077137.tif 000002
2007077137.tif 000003
2007077137.tif 000004
2007077137.tif 000005
2007077137.tif 000006
(57)【要約】      （修正有）【課題】口腔喉内の殺菌、消毒を目的とした口腔喉内洗浄剤を提供する。【解決手段】ショウガ科の植物である月桃を搾汁し、搾汁液を蒸留して得られる月桃エキスに、海水を加えて得られる口腔喉内洗浄剤。【効果】口腔喉内洗浄剤は、天然由来成分である海水と月桃エキスを用いているので従来の化学合成殺菌物質を用いた口腔喉内洗浄剤に比べ安全性が高く、また、いずれの成分も豊富な資源であるので大量に安価で安定に製造することが可能である。【選択図】図２
2007077154.tif 000002
【特許請求の範囲】
【請求項１】
ショウガ科の植物である月桃を搾汁し、搾汁液を蒸留してできた蒸留エキスに海水を加えて得られたことを特徴とする口腔喉内洗浄剤。
【請求項２】
前記の請求項に記載の液を添加して得られることを特徴とする医薬品及び、医薬部外品。
【発明の詳細な説明】
【技術分野】
【０００１】  一般に口腔喉内の殺菌や消毒を目的としたうがい薬に関し、特に海水と月桃エキスを用いたことを特徴とすることに関する。また、本液を用いて出来た医薬品、医薬部外品に関する。
【背景技術】
【０００２】  従来の口腔喉内洗浄剤には、ポビドンヨードの他、グルコン酸クロルヘキシジン、カモミールの成分、ミルラ、ラタニアチンキ等の市販薬がある。また、塩化セチルピリジ二ウム及びグリチルリチン酸ジカリウムを有効成分としたものがある。（例えば特許文献１参照。）。また、シアル酸を有効成分としたものがある。（例えば特許文献２参照。）。また、ヒノキチオールを有効成分としたものがある。（例えば特許文献３参照。）。また、ミネラル化成分含有としたものがある。（例えば特許文献４参照。）。また、梅の抽出液を主原料としたものがある。（例えば特許参照文献５参照。）。また、マウスケア組成物として、ナイシン、抗微生物剤および歯科的に許容される賦形剤または担体からなることを特徴とする口腔衛生組成物がある。（例えば特許文献６参照。）。また、銀コロイド抗菌性、殺菌性又は防黴性組成物及び該組成物を利用した製品がある。（例えば特許文献７参照。）。また、相乗的草本抽出物がある。（例えば特許文献８参照。）。また、抗菌剤および抗歯周病剤がある。（例えば特許文献９参照。）。また、口腔用組成物がある。（例えば特許文献１０参照。）。また、口腔内洗浄用の組成物がある。（例えば特許文献１１参照。）。また、う蝕防止剤、口腔用剤および飲食物がある。（例えば特許文献１２参照。）。また、口腔用衛生品がある。（例えば特許文献１３参照。）。また、にがりを配合した薬剤がある。（例えば特許文献１４参照。）。
【特許文献１】特開２００４−０５１５１１
【特許文献２】特開平０９−２６８１２９
【特許文献３】特開平０７−１３３２１４
【特許文献４】特開平０７−０５３３４３
【特許文献５】特開平０５−１７８７３２
【特許文献６】特表平０８−５０４４０４
【特許文献７】特開２００４−１６１６３２
【特許文献８】特開平１０−２９８０９６
【特許文献９】特開２００４−１９６６７２
【特許文献１０】特開２００３−１６０４５８
【特許文献１１】特開２００３−０３４６２８
【特許文献１２】特開２００１−１１４６９４
【特許文献１３】特開平０６−１７９６２７
【特許文献１４】特開２００４−３０００４３
【発明の開示】
【発明が解決しようとする課題】
【０００３】従来より市販されている口腔喉内洗浄剤（うがい薬・マウスウォッシュ）は、おもにポビドンヨード、グルコン酸クロルヘキジン、塩化ベンゼトニウム等を主成分にしたものがあるが、合成化学物質である点やアレルギー反応を示す体質の人も少なくない。そこで、本発明は以上のような従来の課題に着目してなされたものであり、植物由来成分の月桃と天然の海水、にがりを組合すことによってより安全で安価な薬剤を提供することを目的とする。
【課題を解決するための手段】
【０００４】ショウガ科の植物である月桃を搾汁して、搾汁液を蒸留してできたエキスに海水を加えて得られたことを特徴とする口腔喉内洗浄液。【０００５】月桃の搾汁液を蒸留してできたエキスに海水・にがりを加えて得られた液を添加して得られることを特徴とする医薬品及び、医薬部外品。
【発明の効果】
【０００６】本発明は、海水と月桃エキスを用いて出来た天然成分由来の薬剤である為、従来の科学合成物質による薬剤に比べて安全性が高い、また、本県沖縄においては、海水、月桃は豊富な資源である事から、大量に安価で安定した製造が可能である。
【発明を実施するための最良の形態】
【０００７】洗浄した月桃葉を搾汁機にかけて搾汁液と葉粕を分別した後、水蒸気・減圧・常圧、いずれかの方法で蒸留する。蒸留した月桃エキスに海水を混合する。
【実施例１】以下本発明の実施例を具体的に説明する。なお、本発明の技術的範囲は、以下の実施例に限定されるものではなく、本明細書に記載した事項から明らかになる技術的思想の範囲全体に及ぶものである。【０００８】１）  月桃を洗浄する。
月桃の葉５０ｋｇを２回水洗浄する。
２）  月桃を搾汁機にかける。
搾汁液（３０リットル）と粕に分ける。
３）  蒸留する。
搾汁液を減圧蒸留して、純度の高い月桃エキス（２０リットル）を抽出する。
４）  海水を加える。
殺菌した海水２０リットルを加える。
５）  完成
海水及びにがりと月桃エキスを用いた口腔喉内洗浄剤。
【実施例２】上記要領で出来た、月桃エキス１０％〜５０％と海水５０％〜９０％を含有した口腔喉内洗浄液である。また、同様な成分を含む口腔喉内洗浄液である。
本発明による口腔喉内洗浄剤を用いてうがいをした、痰がよくきれ喉のイガイガがとれると共に歯茎の引き締まりと口の中で清涼感が広がった。
【図面の簡単な説明】
【０００９】
【図１】本発明による海水及びにがりと月桃を用いた口腔喉内洗浄剤の製造を示すフロー図である。
【図２】月桃エキスの各成分と抗菌データを示す図である。
【図１】
2007077154.tif 000003
【図２】
2007077154.tif 000004
2007077154.tif 000005